(57)【要約】【課題】  種別の異なる複数の表示パネルを用いた、見栄えが良好な表示装置を提供する。【解決手段】  円偏光を必要とする第一の表示パネル２１Ａと、偏光を必要とする第二の表示パネル２１Ｂと、第一の表示パネル２１Ａ及び第二の表示パネル２１Ｂを覆うように設けられた偏光部材４４と、第一の表示パネル２１Ａと偏光部材４４との間に配置される位相差部材４５と、を有する。偏光部材４３と第二の表示パネル２１Ｂとの間にスペーサ４６が配置されてなる。スペーサ４６は、第二の表示パネル２１Ｂの非表示領域に配置されてなる。【選択図】図１
2009025368.tif 000002
【特許請求の範囲】
【請求項１】
円偏光を必要とする第一の表示パネルと、偏光を必要とする第二の表示パネルと、前記第一の表示パネル及び前記第二の表示パネルを覆うように設けられた偏光部材と、前記第一の表示パネルと前記偏光部材との間に配置される位相差部材と、を有することを特徴とする表示装置。
【請求項２】
前記偏光部材と前記第二の表示パネルとの間にスペーサが配置されてなることを特徴とする請求項１に記載の表示装置。
【請求項３】
前記スペーサは、少なくとも前記第二の表示パネルの非表示領域に対向するように配置されてなることを特徴とする請求項２に記載の表示装置。
【請求項４】
前面に前記偏光部材が配置され、後面に前記位相差部材が配置される透光性基板を設けてなることを特徴とする請求項１に記載の表示装置。
【請求項５】
前記第一の表示パネルは、有機ＥＬパネルからなることを特徴とする請求項１に記載の表示装置。
【請求項６】
前記第二の表示パネルは、液晶表示パネルからなることを特徴とする請求項１に記載の表示装置。
【発明の詳細な説明】
【技術分野】
【０００１】
本発明は、表示装置に関し、特に異なる種類の表示パネルを複数備えてなる表示装置に関するものである。
【背景技術】
【０００２】
従来より、表示パネルとして有機ＥＬパネルが種々提案されており、例えば特許文献１及び特許文献２に開示されている。有機ＥＬパネル１は、ガラス基板２に積層体３を形成したものであり、この積層体３は、透明電極４，絶縁層５，有機層６，背面電極７を有する（図２参照）。有機層６は正孔注入層，正孔輸送層，発光層及び電子輸送層からなるものであり、透明電極４と背面電極７に挟持されている。積層体３は封止ガラス８に覆われており、この封止ガラス８はガラス基板２に接着剤９により接着されている。
【０００３】
有機ＥＬパネル１の前面には、直線偏光板１０及び複屈折板１１からなる円偏光板１２が貼着されている。円偏光板１２は、外光の反射を防止して有機ＥＬパネル１の表示光のコントラスト比を向上させるために設けられるものである（例えば、前記特許文献２参照）。
【０００４】
ここで、表示装置の表示領域を大型化するために複数の有機ＥＬパネルを並置する方法がある。しかしながら、前記各有機ＥＬパネル間に段差や隙間が生じることによって、表示装置の表示領域内の色調が異なる個所が生じ、見栄えが損なわれるとう問題点があった。この問題を解決するため、本願出願人は、並置される複数の有機ＥＬパネルの円偏光板を共通化して配置する方法を提案している（特許文献３参照）。
【特許文献１】特開２００１−２６７０６６号公報
【特許文献２】特開平９−１２７８８５号公報
【特許文献３】特開２００５−７１９４４号公報
【発明の開示】
【発明が解決しようとする課題】
【０００５】
しかしながら、上述の方法によれば、表示装置の表示領域前面に単一の円偏光板を配置することとなるため、例えば有機ＥＬパネルと液晶表示パネルといった必要とされる偏光機能が異なる表示パネルを並置する構成を実現することができず、表示装置の設計の自由度を損なうといった問題点があった。
【０００６】
本発明は、前述の問題点に鑑みなされたものであり、種別の異なる複数の表示パネルを用いた、見栄えが良好な表示装置を提供するものである。
【課題を解決するための手段】
【０００７】
本発明は、前記課題を解決するために、円偏光を必要とする第一の表示パネルと、偏光を必要とする第二の表示パネルと、前記第一の表示パネル及び前記第二の表示パネルを覆うように設けられた偏光部材と、前記第一の表示パネルと前記偏光部材との間に配置される位相差部材と、を有することを特徴とする。
【０００８】
また、前記偏光部材と前記第二の表示パネルとの間にスペーサが配置されてなることを特徴とする。
【０００９】
また、前記スペーサは、少なくとも前記第二の表示パネルの非発光領域に対向するように配置されてなることを特徴とする。
【００１０】
また、前面に前記偏光部材が配置され、後面に前記位相差部材が配置される透光性基板を設けてなることを特徴とする。
【００１１】
また、前記第一の表示パネルは、有機ＥＬパネルからなることを特徴とする。
【００１２】
また、前記第二の表示パネルは、液晶表示パネルからなることを特徴とする。
【発明の効果】
【００１３】
本発明は、種別の異なる複数の表示パネルを用いた表示装置に関するものであり、各表示パネルによる表示に一体感を持たせ、表示装置の外観を良好にすることが可能となる。
【発明を実施するための最良の形態】
【００１４】
以下、添付の図面に基づいて、本発明の一実施形態について説明する。
【００１５】
２１Ａは、円偏光を必要とする第一の表示パネルであり、本実施形態においては透光性基板上に積層体（有機ＥＬ素子）を形成した周知の有機ＥＬパネルである。この積層体は、第一電極，有機層，第二電極を少なくとも有する。前記第一電極は、ＩＴＯ（Ｉｎｄｉｕｍ  Ｔｉｎ  Ｏｘｉｄｅ）等の透光性導電材料からなるものであり、スパッタリング或いは蒸着等の手段によって形成される。前記有機層は、例えば正孔注入輸送層，発光層及び電子輸送層からなるものである。なお、前記有機層は、少なくとも発光層を有するものであれば良い。前記第二電極は、例えばアルミニウム（Ａｌ）等の導電材料からなるものであり、蒸着法等の手段によって前記有機層上に形成されている。また、前記透光性基板上には前記積層体を気密的に覆うように封止ガラスが配置される。
【００１６】
２１Ｂは、偏光を必要とする第二の表示パネルであり、本実施形態においては画素電極を有する透明基板と対向電極を有する対向基板とをスペーサを介して接合し、前記透明基板と前記対向基板との間に液晶を封入してなる周知の液晶表示パネルである。なお、液晶表示パネルにはＬＥＤ等の光源が別途設けられる。
【００１７】
２８Ａ，２８ＢはＦＰＣ（可撓性配線板）であり、この可撓性配線板２８Ａ，２８Ｂの一端はそれぞれ第一，第二の表示パネル２１Ａ，２１Ｂに電気的に接続され、他端は後述する駆動回路基板に電気的に接続される。ＦＰＣ２８Ａ，２８Ｂは、ポリイミドからなる可撓性基板と、この可撓性基板に形成された銅箔からなる導電部とを有するものである。
【００１８】
３２Ａ，３２Ｂは駆動回路基板であり、この駆動回路基板３２Ａ，３２Ｂにはそれぞれ第一，第二の表示パネル２１Ａ，２１Ｂを駆動するためのドライバ回路３３Ａ，３３Ｂが搭載されている。駆動回路基板３２Ａ，３２Ｂは、ガラスエポキシ樹脂からなる硬質基板上に銅箔からなる配線パターンを形成したものである。
【００１９】
３７はメイン回路基板であり、このメイン回路基板３７は駆動回路基板３２Ａ，３２Ｂと配線コード３８Ａ，３８Ｂによって電気的に接続されている。４０はケース体であり、このケース体４０に、第一，第二の表示パネル２１Ａ，２１Ｂ、駆動回路基板３２Ａ，３２Ｂ及びメイン回路基板３７が収容される。
【００２０】
４３はポリカーボネート等の透光性樹脂からなる透光性基板であり、この透光性基板４３はケース体４０の前面側に配置されている。４４は偏光板であり、この偏光板４４は透光性基板４３の前面（表示面）に貼着されている。なお、偏光板４４は直線偏光板であり、偏光板４４の偏光軸は第二の表示パネル２１Ｂの偏光軸に合わせられている。４５は位相差板であり、この位相差板４５は透光性基板４３の後面（裏面）に第一の表示パネル２１Ａと対向するように貼着されている。なお、第一の表示パネル２１Ａとの対向個所において円偏光機能を有するべく、位相差板４５の位相軸は偏光板４４の偏光軸と直交するように設定される。このような位相差板は１／４波長板とも称される。４６はスペーサであり、このスペーサ４６は透光性基板４３の後面に少なくとも第二の表示パネル２１Ｂの非表示領域と対向するように貼着され、第二の表示パネル２１Ｂと透光性基板４３との間に隙間を形成する。スペーサ４６は、位相差板４５と同等の厚さとなるように形成される。
【００２１】
本実施形態によれば、ケース体４０の前面側が偏光板４４によって覆われており、表示装置の正面視での色調が一様であり、かつ、第一，第二の表示パネル２１Ａ，２１Ｂとの段差や隙間が目立たない。さらに、種別の異なる第一，第二の表示パネル２１Ａ，２１Ｂの偏光板を偏光板４４で共通化し、円偏光が必要な第一の表示パネル２１Ａについてのみさらに位相差板４５を配置したため、種別の異なる複数の表示パネル２１Ａ，２１Ｂを並置する場合であっても良好な見栄えとすることが可能である。また、位相差板４５が形成されない個所に対応してスペーサ４６を設けることで、透光性基板４３と第二の表示パネル２１Ｂとが直に接触してニュートンリングが発生して見栄えが低下することを防止できる。
【００２２】
なお、本実施形態においては、２つの表示パネル２１Ａ，２１Ｂを並置する構成であったが、本発明は３つ以上の表示パネルを並置する場合であっても適用可能である。
【図面の簡単な説明】
【００２３】
【図１】本発明の実施形態を示す断面図。
【図２】従来例を示す有機ＥＬパネルの断面図。
【符号の説明】
【００２４】
２１Ａ  第一の表示パネル
２１Ｂ  第二の表示パネル
４３    透光性基板
４４    偏光板（偏光部材）
４５    位相差板（位相差部材）
４６    スペーサ
【図１】
2009025368.tif 000003
【図２】
2009025368.tif 000004